(57)【要約】【課題】施術者にとっても、また手術を受ける患者にとっても快適な環境を提供することができ、患者に見合った清浄度を手術室内に確保する。【解決手段】室内空気の温度、清浄度を含む環境を調整する空調設備を備えた手術室２０であって、前記空調設備は、清浄度を調整した空気を手術室２０内の手術台２６に向けて局所的に供給する清浄空気局所供給手段４１、４３と、手術室２０の壁面２２を冷却し又は加熱し、冷却し又は加熱した壁面２２からの輻射熱により手術室２０の温度を調整する輻射冷暖房手段５１，５２，５３，５４と、を備えたことを特徴とする。【選択図】図１
2008206818.tif 000002
【特許請求の範囲】
【請求項１】
室内空気の温度、清浄度を含む環境を調整する空調設備を備えた手術室であって、
前記空調設備は、
清浄度を調整した空気を前記手術室内の手術台に向けて局所的に供給する清浄空気局所供給手段と、
前記手術室の壁面を冷却し又は加熱し、冷却し又は加熱した前記壁面からの輻射熱により前記手術室の温度を調整する輻射冷暖房手段と、
を有することを特徴とする手術室。
【請求項２】
前記清浄空気局所供給手段には外気が導入され、
前記清浄空気局所供給手段は、
前記外気を通過させて清浄化する清浄化フィルターと、
前記外気の温度を冷却し又は加熱して調整する温度調整手段と、
前記外気を前記清浄化フィルター及び前記温度調整手段へ向けて送風し、通過により調整された空気を更に送風する送風手段と、
調整され、前記送風された空気を前記手術室に設けられた空気吹き出し口まで輸送するダクトと、
を有することを特徴とする請求項１に記載の手術室。
【請求項３】
前記清浄空気局所供給手段は、
前記調整した空気が手術室上部から前記手術台へ垂直一定方向に向けて下降する垂直層流の流れとなるように前記調整した空気を案内する垂直層流案内手段を有することを特徴とする請求項１又は２に記載の手術室。
【請求項４】
前記垂直層流案内手段は、
複数本の腕部材を屈折自在に接合したアーム部と、
平皿形状を有し、その皿の上面が前記アーム部の一端に設けられ、前記アーム部に沿って輸送された前記調整した空気を垂直層流にて前記手術台の周囲へ広く吐出させる吐出口を複数設けた平皿形状部材と、を有し、
前記アーム部材は、前記手術室上部にその一端が設けられ、前記手術台の上部空間において変位自在であることを特徴とする請求項３に記載の手術室。
【請求項５】
前記空気吹き出し口から前記吐出口まで、前記空気吹出し口に連結された空気導入ホースを経由して、前記調整した空気を前記アーム部に沿って輸送することを特徴とする請求項４に記載の手術室。
【請求項６】
前記アーム部の腕部材は、中空管で形成され、この中空管の空洞部内を介して前記調整した空気が前記平皿形状部材の吐出口に輸送されることを特徴とする請求項４に記載の手術室。
【請求項７】
前記平皿形状部材は、前記送風手段の送風による空気圧によって平皿形状に膨張し、送風停止により収縮する蛇腹状に形成されていることを特徴とする請求項４〜６のいずれかに記載の手術室。
【請求項８】
前記アーム部は、前記手術室の無影灯を変位自在に設置する支持部材も兼用することを特徴とする請求項４〜７のいずれかに記載の手術室。
【請求項９】
前記アーム部は、前記手術室の無影灯を変位自在に設置する支持部材も兼用し、
前記平皿形状部材は、前記無影灯の上部に重ねて設置され、
前記吐出口は、前記無影灯の周囲に設置されることを特徴とする請求項４〜６のいずれかに記載の手術室。
【請求項１０】
前記清浄空気局所供給手段から前記手術台に供給され、前記手術室の下部に達した前記調整した空気を、前記手術室外へ排出する排出手段をさらに有することを特徴とする請求項１〜９のいずれかに記載の手術室。
【発明の詳細な説明】
【技術分野】
【０００１】
本発明は、清浄化した空気を供給する空調空気供給手段を備えた手術室に関する。
【背景技術】
【０００２】
手術室は、清浄環境を維持しながら、患者及び医療従事者にとって快適な空間であることが求められる。かかる空間をつくるためには、清浄化した空気を供給する空調空気供給手段（空調設備）が重要な役割を果たしている。
【０００３】
空調設備は、それぞれの手術室に適合した空調環境をつくり、安全で信頼性のある清浄化した空気を供給するために、日本医療福祉施設協会規格の「病院設備の設計管理指針HEAS-02-2004」に基づいて作られる。すなわち、一般手術室は、「室内の空気清浄度や温度及び湿度に留意するとともに、周囲の諸室より正圧を維持しなければならない」、バイオクリーン手術室に関しても「バイオクリーン手術室は、病院で最も高い空気清浄度クラスを確保する」とともに、層流の特徴を配慮して、計画することが望ましいとされる。
【０００４】
そこで、手術室の空調設備は、外部から新鮮な空気を取り込み、空気清浄度や温度及び湿度を適正に調節して室内に供給し、室内の空気を外部に排出する換気系設備と、外部からの新鮮な空気と室内にある空気を混合して室内を循環させる循環系設備と、を備えている。
【０００５】
そして、バイオクリーン手術室の気流は、図１０に示すように、手術室天井面から床面へと垂直一定方向へ流れ、室内で発生した塵埃・粒子は前記気流に乗って下方へ流れ、上流へは飛散せずに下方壁面に設置されたリターンガラリより吸い込まれ、換気系設備を介して、外部へ排出される。
【０００６】
また、循環系設備において、前記リターンガラリより吸い込まれた空気は、手術室に隣接する機械室に設けられた手術室用空調機により所定の温度と空気清浄度とが確保される。
【特許文献１】特開平１１−１３７６１６号公報
【発明の開示】
【発明が解決しようとする課題】
【０００７】
ところで、従来の空調設備は、手術室天井面から床面へと垂直一定方向へ流れる方式なので、医師や看護師（以下、施術者）と施術される患者とが同一環境下にある。この場合、本来施術される患者の体調維持を第一に考えて室内温度等を決定すべきであるが、施術される患者に合わせて温度、風量を制御すると、施術者側に下記の問題が生じる。
【０００８】
すなわち、施術者は、天井面から吹出す空調空気に直接当たる位置で作業するので、体温を奪われ通常とは異なる体力消耗を招いてしまう。特に、床温度は足下が冷たく感じる程に低く、反対に天井面寄りの頭部は、手術用に設置された無影灯からの発熱で著しく熱く感じる。足下と頭部とで温度差が大きいと、その温度差を不快に感じるコールドドラフト現象を生じ、施術者にとってベストな環境とはいえない。また、手術は昼夜を問わず実施される場合もあり、手術は施術者が起立した状態で長時間に及ぶ上、施術者は、通常とは異なる過酷な環境状態におかれている。
【０００９】
一方、健康体である施術者を基準にして空調制御を行うと、今度は患者にとって、寒過ぎたり熱過ぎたりする環境になってしまう。従って、手術室の空調設備は、患者の体調を
ベストな状態に維持できると共に、施術者の体調の維持にも十分な配慮がされたものであることが望まれる。
【００１０】
本発明は、上記事情に鑑みて発明されたものであってその解決しようとする課題は、施術者にとっても、また手術を受ける患者にとっても快適な環境を提供することができると共に、患者に見合った清浄度を手術室に確保することができる新たな技術を提供することにある。
【課題を解決するための手段】
【００１１】
そこで本発明は、次のような構成とした。
【００１２】
すなわち、本発明の手術室は、室内空気の温度、清浄度を含む環境を調整する空調設備を備えた手術室であって、前記空調設備は、清浄度を調整した空気を前記手術室内の手術台に向けて局所的に供給する清浄空気局所供給手段と、前記手術室の壁面を冷却し又は加熱し、冷却し又は加熱した前記壁面からの輻射熱により前記手術室の温度を調整する輻射冷暖房手段と、を有することを特徴とする。ここで壁面とは、側壁面だけでなく、天井面、床面を含むものである。
【００１３】
本発明によれば、基本的に、輻射冷暖房手段により、壁面から発する輻射熱によって手術室内の冷暖房がされる。このため、従来のように天井面等から吹出す空調空気に直接当たる位置で施術者が作業することが回避される。したがって、施術者から体温を奪うことに起因して、施術者の体力の消耗を招来することがないので、施術者にとって快適な環境となる。
【００１４】
また、清浄空気局所供給手段から供給される清浄空気によって手術台の全体が包まれ、手術台を含むその周囲をバイオクリーンルーム化させることができる。この構成に加え、手術台に流れる清浄空気の流量制御を行うことで、バイオクリーンルーム化した手術台はそこに横たわる患者にとって快適な環境となる。
【００１５】
このように本発明によれば、施術者と患者それぞれにとって快適な環境を提供することができるため、施術者にとっても、また患者にとっても最適な状態で手術に臨むことができる。
【００１６】
また、本発明の手術室において、前記清浄空気局所供給手段には外気が導入され、前記清浄空気局所供給手段は、前記外気を通過させて清浄化する清浄化フィルターと、前記外気の温度を冷却し又は加熱して調整する温度調整手段と、前記外気を前記清浄化フィルター及び前記温度調整手段へ向けて送風し、通過により調整された空気を更に送風する送風手段と、調整され、前記送風された空気を前記手術室に設けられた空気吹き出し口まで輸送するダクトと、を有するように構成できる。
【００１７】
この結果、清浄空気局所供給手段を経由して手術台に供給される外気は、清浄化されるばかりでなく、温度が調整可能となる。よって、当該温度を患者にとって好適な程度に調整すれば、患者にとって快適な空間が手術台を中心として形成される。
【００１８】
送風手段としては、例えばファンその他の送風機や、圧縮空気により送風する手段も例示できる。また、送風手段の流速を調整制御する制御装置を有することも例示できる。この流速制御により、送風の出力調整を行って手術台に向けて流れる清浄空気の流速を調整することが可能である。そのため、乱流が生じない程度に清浄空気の流れを速めることで、手術台を中心とした領域内に塵埃や粒子を巻き込むことが抑制される。そのため、手術台付近をバイオクリーンルーム化することが容易に達成される。
【００１９】
また、前記清浄空気局所供給手段は、前記調整した空気が手術室上部から前記手術台へ垂直一定方向に向けて下降する垂直層流の流れとなるように前記調整した空気を案内する垂直層流案内手段を有することを特徴とする。ここで垂直層流とは、室内空気の隣りあう部分が混ざり合うことなく、流線が規則正しい形を保つ流れである。また、垂直層流案内手段によれば垂直層流に形成された空調空気を、より確実に手術台に導入することができる。
【００２０】
前記垂直層流案内手段としての具体的な構成は、下記の構成のものが考えられる。
【００２１】
すなわち、前記垂直層流案内手段は、複数本の腕部材を屈折自在に接合したアーム部と、平皿形状を有し、その皿の上面が前記アーム部の一端に設けられ、前記アーム部に沿って輸送された前記調整した空気を垂直層流にて前記手術台の周囲へ広く吐出させる吐出口を複数設けた平皿形状部材と、を有し、前記アーム部材は、前記手術室上部にその一端が設けられ、前記手術台の上部空間において変位自在であることを特徴とする。
【００２２】
なお、前記調整した空気を前記アーム部に沿って輸送する構成としては、前記空気吹き出し口から前記吐出口まで、前記空気吹出し口に連結された空気導入ホースを経由して、前記調整した空気を前記アーム部に沿って輸送する構成や、前記アーム部の腕部材が、中空管で形成され、この中空管の空洞部内を介して前記調整した空気が前記平皿形状部材の吐出口に輸送される構成が例示できる。
【００２３】
前記アーム部の腕部材を中空管で形成して空洞部内を介して前記調整した空気を輸送する構成では、アーム部を空気導入ホースとして兼用するので、気密性を高める必要があるが、部品点数を少なくすることができる。一方、清浄空気が供給される部分を空気導入ホースとして専用に設ければ、アーム部自体は無影灯を支持できるだけの構造で足りる。また、ホース自体は安価であるので製作費用の削減ができる。
【００２４】
次に、前記平皿形状部材の具体的な構成としては、前記送風手段の送風による空気圧によって平皿形状に膨張し、送風停止により収縮する蛇腹状に形成されている構成のものが考えられる。
【００２５】
また、前記アーム部が、前記手術室の無影灯を変位自在に設置する支持部材も兼用できる構成とすれば、部品点数を少なくすることができる。なお、無影灯は既存の設備であり、通常、手術台の真上に設置される。
【００２６】
そこで、前記平皿形状部材の別の構成として、前記アーム部は、前記手術室の無影灯を変位自在に設置する支持部材も兼用し、前記平皿形状部材は、前記無影灯の上部に重ねて設置され、前記吐出口は、前記無影灯の周囲に設置される構成とすれば、手術台を清浄空気によって包み込むための設備として手術台の真上に設置される無影灯を利用するには好適である。
【００２７】
また無影灯は熱を発するが、この場合、無影灯の周縁部に清浄空気を吐出する吐出口が複数形成されているので無影灯を冷却する効果も期待できる。
【００２８】
また、本発明の手術室において、前記清浄空気局所供給手段から前記手術台に供給され、前記手術室の下部に達した前記調整した空気を、前記手術室外へ排出する排出手段をさらに有する構成とすることもできる。この構成によれば、垂直層流を清浄空気の排出手段によって手術室の外に出せば、手術室の下部に滞留した塵埃や粒子が清浄空気とともに室内から除去されるので、手術室内の塵埃や粒子が減少する。したがって、手術室の清浄度
が高まる。
【発明の効果】
【００２９】
本発明は、施術者にとっても、また手術を受ける患者にとっても快適な環境を提供することができると共に、患者の状態に見合った清浄度を手術室において確保することができる。
【発明を実施するための最良の形態】
【００３０】
以下、本発明を添付の図面を参照しながら詳細に説明する。
【００３１】
（実施の形態１）
図１は、本発明に係る手術室２０が適用された病院建物１００を示す。
【００３２】
病院建物１００では、その大梁（構造駆体）１０を境にして、隣接する２つの空間内に形成された手術室２０及び機械室３０が示されている。
【００３３】
（機械室３０）
手術室２０に隣接する機械室３０には、この機械室３０の上部に位置する換気用外気処理空調機３１と、排気ファン３３とが設置されている。
【００３４】
換気用外気処理空調機３１には、外気取入れガラリ３４から建物1００内に取り入れた
外気を予め清浄化するＨＥＰＡフィルター３１ａ、加熱冷却コイル３１ｂ、湿度調整手段としての加湿器３１ｃ、外気処理空調給気ファン３１ｄとをそれぞれ備えている。
【００３５】
加熱冷却コイル３１ｂは、ＨＥＰＡフィルター３１ａによって清浄化された空気を手術室２０に導入する前に予め適温になるように加熱・冷却する。
【００３６】
加湿器３１ｃは、加湿用給水（上水）を蒸発させることにより加湿を行う気化方式ものであり、外気を必要に応じて加湿するものである。これらによって適度の温度及び湿度を保った空調空気を送り込むことができる。このようにして温度等を調整された空調空気が外気処理空調給気ファン３１ｄによって手術室２０に向け送られる。
【００３７】
（換気系設備）
また、機械室３０の構造駆体１０のうち、換気用外気処理空調機３１とほぼ同じ位置には、病院建物１００内へ換気用に外気を取り入れる換気用外気取入れガラリ３４及び換気用排気ガラリ３５が設置されている。換気用外気取入れガラリ３４から取り入れられた外気と同量の手術室２０内の空気が、排気として換気用排気ガラリ３５から排出される。
【００３８】
換気用外気処理空調機３１、排気ファン３３並びに換気用ＨＥＰＡフィルターユニット４２は、ダクト４０及び４５を介して連結され、換気用外気処理空調機３１、排気ファン３３並びにクリーンユニット本体４１が駆動することで、手術室２０の換気がなされる。
【００３９】
バイオクリーンルームは、要求される清浄度のクラスに応じて、換気用ＨＥＰＡフィルターユニットの種類、換気回数、各ガラリの設置位置、風向などを変えることで、ルーム内の浮遊粒子数を所定数以下に制御する。
【００４０】
なお、病院の手術室は、空気中の微粒子の清浄化に加えて、細菌などの微生物的な清浄度が要求される。この清浄度の規格は、日本工業規格のＪＩＳＢ９９２０やＮＡＳＡ（アメリカ航空宇宙局）規格のＮＨＢ５３４０に基づき、手術室の清浄度（例えばＮＡＳＡ規格では、クラス１００００やクラス１００と呼称される）が定められる。また、手術室は
、通常、ＮＡＳＡ規格のクラス１００００であるが、清浄度の低い手術室程、”クラス”の後に付加される数値（以下、付加数）が大きくなる。さらに、生物的清浄度を要求された値以上に保つ様に制御された室をバイオクリーンルームといい、清浄度が極めて高いバイオクリーンルームで行われる手術は、患者の感染率が低いことが知られている。
【００４１】
（手術室２０）
次に、手術室２０は、構造駆体１０の内側に天井面２１及び壁２２により囲繞されて形成される。手術室２０の天井面２１のほぼ中央には、天井下の室内に局所的に清浄空気を供給する清浄空気局所供給手段としてのクリーンユニット本体４１、及び吹出ユニット（垂直層流案内手段）４３が設置されている。
【００４２】
また、換気系設備の換気用ＨＥＰＡフィルターユニット４２も手術室２０の天井面２１のほぼ中央に配置されている。なお、換気用ＨＥＰＡフィルターユニット４２は、手術室２０内の局所に、空調用に送られる空気の中からゴミ、塵埃などを取り除いて清浄空気にするための、図示しないエアフィルター（以下、ＨＥＰＡフィルター）を含んでいる。また、空調とは、空気の温度・湿度・気流及び清浄度を調えることを意味する空気調和の略であり、換気とは室内の空気を新しい空気と入れ換えることである。
【００４３】
さらに、手術室２０の壁面２２の下部には、手術室２０における空調の排気を行うためのリターンガラリ（換気系設備）２５が複数（図面では２つ）設置されている。リターンガラリ２５は、ブラインド状の羽根板を壁面に形成した通し口に平行に所定間隔を空けて取り付けて形成した通気口のことである。
【００４４】
リターンガラリ２５は、排気ファン３３と共に、手術室２０の下部に達した清浄空気を、手術室２０外へ排出する換気系設備の排出手段を構成している。
【００４５】
（清浄空気局所供給手段）
次に、清浄空気局所供給手段を説明する。
【００４６】
清浄空気局所供給手段（局所型バイオロジカルクリーンユニット；以下クリーンユニットという）は、クリーンユニット本体４１と、局所型バイオロジカル吹出ユニット（垂直層流案内手段、以下、吹出ユニットという）４３を備える。
【００４７】
クリーンユニット本体４１は、クリーンユニット用給気ファン４１ａと、クラス１００程度のクリーンユニット用ＨＥＰＡフィルター４１ｂと、温度調整手段としての加熱・冷却コイル４１ｃを備える。なお、クリーンユニット用給気ファン（送風手段）４１ａは、図示しない制御部により清浄空気の流速を調整（制御）されている（流速制御手段）。
【００４８】
クリーンユニットの機能は、クリーンユニット本体４１の手前のダクト４０部分ではクラス１００００程度、その後クリーンユニット本体４１のクリーンユニット用ＨＥＰＡフィルター（クラス１００程度）４１ｂを通らずに換気用ＨＥＰＡフィルターユニット４２を介して手術室内に吹き出す空気は、換気用ＨＥＰＡフィルターユニット４２で必要に応じたクリーン度が高められて、吹き出される。
【００４９】
この実施の形態では、制御部（流速制御手段）により、クリーンユニット用給気ファン４１ａの出力調整をして手術台２６に向けて流れる清浄空気の流速を調整することができる。したがって、乱流が生じない程度に清浄空気の流速を速めることで、清浄空気が供給される手術台２６は、手術台２６を中心とした領域内にその外部から塵埃や粒子を巻き込むことが抑制される。
【００５０】
（吹出ユニット４３：垂直層流案内手段）
吹出ユニット４３は、天井取り付け型で、平面３６０度回転自在のアーム部４３ａとこのアーム部４３ａの先端に設けられた平皿形状の局所垂直流吹出ダクト（平皿形状部材）４３ｂを備える。
【００５１】
アーム部４３ａは中空パイプ（中空管）で形成され、この空洞部内を清浄空気が通過可能となっている。
【００５２】
局所垂直流吹出ダクト４３ｂは、図２に示すように、独立して設けられるもので使用時に空気の圧力で膨らむ膜状（蛇腹状）のフード構成となっている（図２（ａ））。このフード構成の局所垂直流吹出ダクト４３ｂは空気を供給する中空のアーム部４３ａの先端に設けられ、この局所垂直流吹出ダクト４３ｂの下面には吐出口４３ｄが複数設けられている。局所垂直流吹出ダクト４３ｂの材質は、ポリエステル繊維などの塵埃を発しない材質である。また、この実施の形態において、この局所垂直流吹出ダクト４３ｂは、使用しない場合、収縮させることができる（図２（ｂ））。
【００５３】
そして、アーム４３ａの空洞部内を通過した空気は、クリーンユニット用給気ファン（送風手段）４１ａにより局所垂直流吹出ダクト４３ｂの吐出口４３ｄから手術台２６を中心にした部分に、垂直一定方向に向けた空気の流れとなる垂直層流を吹き出す構成となっている。
【００５４】
また、室内の下部に溜まった塵埃・粒子は、空調空気を排出するリターンガラリ２５を経由して外部に排出されるから、手術室内には塵埃や粒子が残留しにくくなり、手術室の清浄度が高まる。
【００５５】
この吹出ユニット４３によれば、手術台２６を中心にした部分に、垂直層流でクラス１００程度の空気が吹き出され、かつクリーンユニット用給気ファン４１ａの空調空気の流量を調整することで、手術台２６を含むその周囲をバイオクリーンルーム化させることができる。そして、手術台２６に流れる空気の空調制御を行うことで、バイオクリーンルーム化した手術台２６はそこに横たわる患者にとって快適な環境となる。この実施の形態によれば、施術者と患者それぞれにとって快適な環境を提供することができるため、施術者にとっても、また患者にとっても最適な状態で手術に臨むことができる。
【００５６】
この結果、クリーンユニットを経由して手術台２６に供給される外気は、清浄化されるばかりでなく、前記制御部の流速制御により結果として温度及び湿度が調整可能となる。よって、当該調整を患者にとって好適なものにすれば、患者にとって快適な空間が手術台２６を囲繞する空間として形成される。
【００５７】
（循環系設備としての輻射冷暖房システム：輻射冷暖房手段）
輻射冷暖房システムは、壁面（側壁面、天井面等）２２を、冷房時は冷やし暖房時は温めて、冷却又は加熱した壁面からの輻射熱により冷暖房室（手術室２０）の温度を調整するシステムである。輻射熱による冷暖房は、室内に極端な温度ムラが生じないため快適であると共に、壁面２２を冷却又は加熱するのに必要な熱量がいわゆる対流方式の冷暖房システムに比べて少ない。このため、輻射冷暖房システムは、より省エネルギーなシステムと言える。
【００５８】
この実施の形態において手術室２０の天井裏には、輻射熱の熱源としての機能を有する輻射用空調機５１が、クリーンユニット本体４１と共に設けられている。
【００５９】
輻射用空調機５１は、ＨＥＰＡフィルター５１ａと、加熱・冷却コイル５１ｂと、循環
空気ファン５１ｃを備える。輻射用空調機５１は、輻射空調ダクト５０を介して四方向分配器５２に接続している。
【００６０】
四方向分配器５２は、空気をほぼ均等に４つのダクトに分配し、４面に形成された導出口より排出する装置である。そして、四方向分配器５２は、輻射空調ダクト５０を介して二方向分配器５３に接続している。更に、二方向分配器５３は、壁面２２の裏面に設置した放射・膜状噴流ノズル（二方向・膜状噴流ノズル）５４に接続している。なお、壁面２２の裏面は、中仕切り壁２３と外壁２４からなる２重壁構造になっており、中仕切り壁２３と外壁２４との間には冷風または温風が流れる空間が設けられている。
【００６１】
（輻射冷房）
輻射冷房は次のように行われる。
【００６２】
輻射用空調機５１で発生した冷風を、輻射空調ダクト５０を介して四方向分配器５２に送風して冷風を４分配する。図１では左右に２分配している状態が示されているが、左右方向に対して垂直な方向にも２分配されている。
【００６３】
さらに、二方向分配器５３を介して壁面２２の裏面に設置した放射・膜状噴流ノズル（二方向・膜状噴流ノズル）５４に、ノズル一つあたり２０〜３０ｍ3／ｈ程度に分配し、
壁面２２の裏面に噴射して壁材を冷却する。このようにして、壁自体を直接冷却することで手術室２０内を輻射冷却する。壁材を冷却した冷風は、中仕切り壁２３と外壁２４との間の空間を流れて天井空間を通過し（天井面も冷却）、再び輻射用空調機５１に戻る。
【００６４】
（輻射暖房）
輻射暖房は、輻射冷房と同様であって、輻射用空調機５１で造られた温風を、輻射空調ダクト５０を使って四方向分配器５２に送風して温風を４分配し、さらに二方向分配器５３を介して壁面２２の裏面に設置したそれぞれの放射・膜状噴流ノズル（二方向・膜状噴流ノズル）５４に、２０〜３０ｍ3／ｈ程度ずつ分配する。このようにして、壁自体を直
接暖めることで、手術室２０内を輻射暖房する。壁材を暖房した温風は、中仕切り壁２３と外壁２４の間の空間を流れて天井空間を通過し、再び輻射用空調機５１に戻る。
【００６５】
このように、輻射システムは、側壁面や天井面等を昇温したり冷却したりすることで、それらの面から発せられる輻射熱を利用して、天井からの清浄空気が施術者に直接当たることを回避する。なお、この実施の形態では、輻射冷暖房システムを側壁面や天井面等を昇温したり冷却したりする場合で説明したが、輻射冷暖房システムを床面に設けても良い。
【００６６】
また、当該壁面からの輻射熱を利用する空調を備えた手術室にすることで、従来天井面に複数箇所設けた空調用ＨＥＰＡフィルターユニットを不要とし、従来の空調用ＨＥＰＡフィルターユニットからの空調空気が施術者に直接当たることを回避でき、床面と天井面との温度差を縮小できる。このため、医師や看護師（施術者）にとってもまた患者にとっても快適な空調環境を整えることができる。
【００６７】
換気系設備から手術室２０内に送られる清浄空気の量は、空調を行う手術室２０と外気との温度差、隣接する部屋との温度差、空調される部屋で発生する熱など一日あたりの最大熱負荷値を求め、これらの値に基づいて決定される。
【００６８】
この実施の形態によれば、輻射冷暖房システムによって手術室内の冷暖房が実施される。このため、天井面から吹出す清浄空気に直接当たる位置で施術者が作業することを回避できる。したがって、施術者から体温を奪うことに起因して、施術者の体力の消耗を招来
することがないので、施術者にとって快適な環境となる。
【００６９】
［別の実施の形態］
上述した実施の形態における垂直層流案内手段とは別の形態のものを備えた例を、以下、実施の形態２〜８として図３〜図７に基づき説明する。なお、それぞれ実施の形態１と異なる部分のみ説明する。
（実施の形態２）
図３に示す垂直層流案内手段は、無影灯８４３ｃのアーム部８４３ａと垂直層流案内手段のアーム部を共用するものである。すなわち、この無影灯８４３ｃの周縁部には、無影灯８４３ｃを覆う平皿形状の局所垂直流吹出ダクト８４３ｂが設けられている。この局所垂直流吹出ダクト８４３ｂは、アーム部８４３ａの中空パイプ（中空管）を経由で流れてきた清浄空気を吐出する吐出口８４３ｄが形成されている。なお、吐出口８４３ｄは局所垂直流吹出ダクト８４３ｂ下面部と無影灯８４３ｃ上面部との間に設けられている。この構成の場合、局所垂直流吹出ダクト８４３ｂを透明性の高い材質にすることが望ましい。
【００７０】
無影灯８４３ｃは既存の設備であり、通常、手術台２６の真上に設置される。また、無影灯８４３ｃは熱を発するが、無影灯８４３ｃの周縁部に清浄空気を吐出する吐出口が形成されているので無影灯８４３ｃを冷却する効果も期待できる。また、清浄空気が通過する部分は、アーム部８４３ａを中空パイプにし兼用することで、部品点数を少なくすることができる。
【００７１】
（実施の形態３）
図４に示す垂直層流案内手段も、無影灯７４３ｃのアーム部７４３ａと垂直層流案内手段のアーム部を共用するものである。但し、実施の形態３において清浄空気は、アーム７４３ａとは別途に設けられた蛇腹のホース７４３ｂで吐出口７４３ｄまで供給する。なお、吐出口７４３ｄは実施の形態２と同様に、無影灯７４３ｃを覆う大きさの平皿形状の局所垂直流吹出ダクト７４３ｂと無影灯７４３ｃ上面部との間に設けられている。この構成の場合も、局所垂直流吹出ダクト７４３ｂを透明性の高い材質にすることが望ましい。
【００７２】
（実施の形態４）
図５に示す垂直層流案内手段も、無影灯６４３ｃのアーム部６４３ａと垂直層流案内手段のアーム部を共用するものである。但し、実施の形態４では、無影灯６４３ｃのアーム部（中空管）６４３ａから、枝状に中空のアーム部を設けると共にその先端に実施の形態１にて説明したフード構成の局所垂直流吹出ダクト６４３ｂ（実施の形態１の局所垂直流吹出ダクト４３ｂと同一構成）が設けられている。
【００７３】
（実施の形態５）
図６に示す垂直層流案内手段は、天井面２１より回転自在に設けられた中空のアーム部５４３ａの先端に放射状にフレーム５４３ｃを設けて、フレーム５４３ｃを透明性の高い材質のカバー５４３ｂで覆い、吐出口とした構成である。カバー５４３ｂは取り外し可能なものが望ましい。
【００７４】
（実施の形態６）
図７に示す垂直層流案内手段は、天井面２１に吐出口４４３ｄを複数設け、その周りをカーテン（又は筒状のダクト）４４３ｂを設け、このカーテン（又は筒状のダクト）４４３ｂにより、空気が拡散せずに局所垂直層流となるように構成したものである。
【００７５】
次に、外部より空気を吸い込む吸い込み口回り（換気系設備の換気用外気処理空調機３１）の別の実施の形態を、以下、実施の形態７として図８に基づき説明する。なお、それぞれ実施の形態１と異なる部分のみ説明する。
【００７６】
（実施の形態７）
図８に示す換気系設備の換気用外気処理空調機では、外気処理空調給気ファンの代わりに圧縮空気を用いるもので、この圧縮空気は流量調節弁３０１の制御によりインジェクター装置３０２を介して外気と共にＨＥＰＡフィルター３１ａに供給される構成である。このようにすれば、外気処理空調給気ファンを使用する場合に比べ、構成を簡易にできる。
【００７７】
次に、換気系設備及び清浄空気局所供給手段の別の実施の形態を、以下、実施の形態８として図９に基づき説明する。なお、それぞれ実施の形態１と異なる部分のみ説明する。
【００７８】
（実施の形態８）
図９に示す換気系設備及び清浄空気局所供給手段では、クリーンユニット４１を介さずに換気用外気導入ダクト４０ａから直接、換気用ＨＥＰＡフィルターユニット４２ａに空気を供給する構成である。なお、換気用外気導入ダクト４０ａは換気用ＨＥＰＡフィルターユニット４２ａに空調空気を供給した後、下流においてクリーンユニット４１（ファン４１ａとＨＥＰＡフィルター４１ｂ）に接続し、空調空気を供給する。
【００７９】
また、換気用外気導入ダクト４０ａは、換気用ＨＥＰＡフィルターユニット４２ａに空気を供給するダクトとは別に専用のダクトを設けて、クリーンユニット４１（ファン４１ａとＨＥＰＡフィルター４１ｂ）に接続し、空調空気を供給する構成にしてもよい。
【００８０】
なお、本発明は、上述の図示例にのみ限定されるものではなく、本発明の要旨を逸脱しない範囲内において種々変更を加え得ることは勿論である。
【図面の簡単な説明】
【００８１】
【図１】本発明の手術室の概略説明図であり、手術室を含む建て屋の断面図である。
【図２】実施の形態１の局所垂直流吹出ダクトの概略図である。
【図３】実施の形態２の局所垂直流吹出ダクトの概略図である。
【図４】実施の形態３の局所垂直流吹出ダクトの概略図である。
【図５】実施の形態４の局所垂直流吹出ダクトの概略図である。
【図６】実施の形態５の局所垂直流吹出ダクトの概略図である。
【図７】実施の形態６の局所垂直流吹出ダクトの概略図である。
【図８】実施の形態７の換気系設備の換気用外気処理空調機の概略図である。
【図９】実施の形態８の清浄空気局所供給手段の概略図である。
【図１０】従来の手術室の概略説明図であり、手術室を含む建て屋の断面図である。
【符号の説明】
【００８２】
１００  病院建物
１０  大梁（構造駆体）
２０  手術室
２１  天井面
２２  壁面
２３  中仕切り壁
２４  外壁
２５  リターンガラリ（換気系設備）
２６  手術台
３０  機械室
３１  換気用外気処理空調機（換気系設備）
３３  排気ファン（換気系設備）
３４  換気用外気取入れガラリ
３５  換気用排気ガラリ
４０、４５  ダクト
４１  クリーンユニット本体（清浄空気局所供給手段）
４１ａ  クリーンユニット用給気ファン（清浄空気局所供給手段）
４１ｂ  クリーンユニット用ＨＥＰＡフィルター（清浄空気局所供給手段）
４１ｃ  加熱・冷却コイル（清浄空気局所供給手段）
４２  換気用ＨＥＰＡフィルターユニット（換気系設備）
４３  吹出ユニット（垂直層流案内手段）
４３ａ  アーム部（垂直層流案内手段）
４３ｂ  局所垂直流吹出ダクト（垂直層流案内手段）
４３ｃ  無影灯
４３ｄ  吐出口（垂直層流案内手段）
５１  輻射用空調機（輻射冷暖房手段）
５１ａ  輻射空調用ＨＥＰＡフィルターユニット
５１ｂ  加熱・冷却コイル
５１ｃ  輻射空調用循環空気ファン
５２  四方向分配器
５３  二方向分配器
５４  放射・膜状噴流ノズル（二方向・膜状噴流ノズル）
【図１】
2008206818.tif 000003
【図２】
2008206818.tif 000004
【図３】
2008206818.tif 000005
【図４】
2008206818.tif 000006
【図５】
2008206818.tif 000007
【図６】
2008206818.tif 000008
【図７】
2008206818.tif 000009
【図８】
2008206818.tif 000010
【図９】
2008206818.tif 000011
【図１０】
2008206818.tif 000012